Podtech/llm-jp-corpus-v4-ja_patent huggingface dataset:
(57)【要約】      （修正有）【課題】洗濯物を外に干している時の雨の降り出しによる洗濯物の濡れを防止できる物干しハンガー用傘を提供する。【解決手段】傘布シート１に傘の骨組３を４５度ぐらいの間隔で７か所くらいに設け、１か所を骨の替わりにファスナー４にして開閉式にし、中心部５に止め具をつけ、傘の対向的な２本の骨の適所に吊り下げ具２をつけ、フック６で竿９に吊り下げて安定させる。物干しハンガーの吊り具をこの傘の中心部の孔に通して物干しハンガーと傘をそれぞれ独立に竿に吊り下げて使用する。【選択図】図１
0003192940.tif 000002
【実用新案登録請求の範囲】
【請求項１】
洗濯物を直接干し掛けるハンガーとそれをハンガー吊り具及びフックで物干し竿に吊り掛ける通常の洗濯物干しハンガーを想定し、通常の「傘」・即ち中心から等間隔で放射状に伸びる複数本の傘骨を上から覆う形で取り付けられた傘布シートと柄と開閉機構から成る「傘」から、あたかも柄と開閉機構を除く傘布シートだけを取り出したような形で、柄やシャフト・石突き等はないので、自ずと中心部は穴が空いた形になっており、この穴部をホールと呼ぶことにするが、このホールに物干しハンガーのハンガー吊り具を通し、干してある洗濯物の上から傘布シートを覆い掛けて雨濡れを防ぐという目的で用いられる物干しハンガー用傘であって、この傘の複数の骨のうちの１本に当たる箇所をファスナーにして開閉式にし、他の骨のうちの任意の対向的な２本の骨の、それぞれが相互対称となる箇所に吊り下げ具をつけ、吊り下げ具先端のフックで物干し竿に吊り下げて安定させ、物干しハンガーと物干しハンガー用傘がそれぞれ独立に自分自身を物干し竿に吊り下がることを特徴とする物干しハンガー用傘。
【考案の詳細な説明】
【技術分野】
【０００１】  本考案は洗濯物干しハンガー用傘に関するものである。
【背景技術】
【０００２】  従来くもり空で雨が降るか降らないかわからないあやふやな天気の時でも、洗濯物を雨を気にしながら外に干していた。
【考案の概要】
【考案が解決しようとする課題】
【０００４】  洗濯物を外に干していて雨の降り出しに気がつかず洗濯物が濡れてしまっていた。
出かける時、今は晴れているがその後の天気の変化が心配、またちょっと買い物に行きたいがにわか雨が心配で洗濯物を出しっぱなしにできない。
本考案は以上の問題点を解決するものである。
【課題を解決するための手段】
【０００５】  洗濯物を直接干し掛けるハンガーとそれをハンガー吊り具及びフックで物干し竿に吊り掛ける通常の洗濯物干しハンガーを想定し、通常の「傘」・即ち中心から等間隔で放射状に伸びる複数本の傘骨を上から覆う形で取り付けられた傘布シートと柄と開閉機構から成る「傘」から、あたかも柄と開閉機構を除く傘布シートだけを取り出したような形で、柄やシャフト・石突き等はないので、自ずと中心部は穴が空いた形になっており、この穴部をホールと呼ぶことにするが、このホールに物干しハンガーのハンガー吊り具を通し、干してある洗濯物の上から覆い掛けて雨濡れを防ぐという目的で用いられる物干しハンガー用傘であって、この傘の複数の骨のうちの１本に当たる箇所をファスナーにして開閉式にし、他の骨のうちの任意の対向的な２本の骨の、それぞれが相互対称となる箇所に吊り下げ具をつけ、吊り下げ具先端のフックで物干し竿に吊り下げて安定させることを特徴とする物干しハンガー用傘である。
【考案の効果】
【０００６】  本考案により雨の降り出しに気がつかなくても洗濯物が濡れずにすむ。またくもり空でも洗濯物がにわか雨に濡れる心配がなく安心して出かけられる。
【図面の簡単な説明】
【０００７】
【図１】本考案の斜視図
【図２】本考案の実施例を示す斜視図
【図３】本考案の一部であるホールを閉じた状態を示す斜視図
【図４】本考案の一部であるホールを開けた状態を示す斜視図
【考案を実施するための形態】
【０００８】  以下本考案の実施の形態を説明する。
（イ）洗濯物を直接干し掛けるハンガーとそれをハンガー吊り具及びフックで物干し竿に吊り掛ける通常の洗濯物干しハンガーを想定し、通常の「傘」・即ち中心から等間隔で放射状に伸びる複数本の傘骨を上から覆う形で取り付けられた傘布シート（１）と柄と開閉機構から成る「傘」から、あたかも柄と開閉機構を除く傘布シート（１）だけを取り出したような形で、柄やシャフト・石突き等はないので、自ずと中心部は穴が空いた形になっており、この穴部をホール（５）と呼ぶことにするが、このホール（５）に物干しハンガー（１０）のハンガー吊り具（８）を通す。
（ロ）干してある洗濯物の上から覆い掛けて雨濡れを防ぐという目的で用いられる物干しハンガー用傘であって、この傘の複数の骨（３）のうちの１本に当たる箇所をファスナー（４）にして開閉式にする。
（ハ）他の骨（３）のうちの任意の対向的な２本の骨（３）の、それぞれが相互対称となる箇所に吊り下げ具（２）をつけ、吊り下げ具先端のフック（６）で物干し竿（９）に吊り下げて安定させることを特徴とする物干しハンガー用傘。
本考案は以上のような構造である。
本考案を使用する時は、物干しハンガー（１０）のハンガー吊り具（８）が傘のホール（５）にくるように入れて竿（９）に吊るし、傘布シート（１）で物干しハンガー（１０）上部まわりを覆い、ファスナー（４）を閉め、とめ具（７）を留める。ハンガー吊り具（８）とは別に吊り下げ具（２）のフック（６）で物干しハンガー用傘を竿（９）に吊り下げて安定させる。
【符号の説明】
【０００９】１  傘布シート、２  吊り下げ具、３  骨、４  ファスナー、５  ホール、
６  フック、７  とめ具、８  ハンガー吊り具、９  竿、１０  物干しハンガー
【図１】
0003192940.tif 000003
【図２】
0003192940.tif 000004
【図３】
0003192940.tif 000005
【図４】
0003192940.tif 000006
(57)【要約】      （修正有）【課題】ヒートシールの錠剤を複数個まとめて取出す構造の安価な錠剤取り出し器を提供する。【解決手段】複数個の錠剤１が固定されている包装材の縁を固定具２の包装材固定溝４に挿入し、包装材を固定する。次に包装材の上から、回転ローラ５の錠剤押し出し用突起６を錠剤に押し付けながら、手で回転ローラ５の取っ手を握り、ローラを直線運動することにより、回転ローラ５を回転させて、個別包装された錠剤を包装材裏面より取出すことができる。【選択図】図１
0003192939.tif 000002
【実用新案登録請求の範囲】
【請求項１】
複数個の錠剤を複数列にて個別に包装された錠剤個別包装シートにおいて、その個別に包装された錠剤を取り出す場合に、複数個の錠剤の包装材を固定するための固定具を備え、回転ローラを包装された複数個の錠剤の包装材の上から押し付けなから、上記固定具に対して直線運動をすることにより、一度に複数個の錠剤を取り出すことを特徴とする錠剤取出し器
【請求項２】
請求項１において、回転ローラを固定具に押し付けて直線運動をする際の誘導ガイドを備えたことを特徴とする錠剤取出し器
【請求項３】
請求項１、および請求項２の回転ローラの構造として種々の錠剤を取出し可能とするために回転ローラを傾斜させて錠剤を押し付けることができることを特徴とした錠剤取出し器
【請求項４】
請求項１において複数列の錠剤を取り出すために、回転ローラが複数列の錠剤を押し出せるように複数列の押し出し用形状を有する錠剤取出し器
【考案の詳細な説明】
【技術分野】
【０００１】錠剤のヒートシールからの取り出しに関するものである。
市中の調剤薬局や薬店でヒートシールの錠剤を取り出す時、通常は指先でヒートシールの錠剤部分をヒートシールの錠剤が見える透明な部分を押して、ヒートシールの背面より錠剤を押し出す作業を実施している。
【背景技術】
【０００２】しかし、調剤薬局などで投薬をする際に、まとめた数の錠剤をヒートシールから取り出して他の飲み合わせの錠剤と袋にまとめて入れて投薬したり、調剤薬局ではヒートシールの錠剤を取り出す作業が頻繁に発生する。しかし、上記の錠剤の取り出し作業を連続して行うと、指先に負担がかかり、指先を痛めたり、慣れるまでは指先から出血したりする場合も多い。そこで、従来より１個の錠剤を取り出せる器具が考案されている。また、多量に錠剤を取り出す場合には、専用の取出し用の専用の機械を使用する例もあるが、高価で市中の調剤薬局などでは導入されていないのが実情である。
【先行技術文献】
【０００３】
【非特許文献１】錠剤を複数個取出す自動機械として、大同化工株式会社のＰＴＰ除包器「らく錠くん  タイプ２」が発売されている。
【０００４】
【非特許文献２】錠剤を１個取出す器具としては、株式会社トレンズの錠剤取出し器「くすりん」などが発売されている。
【考案の概要】
【考案が解決しようとする課題】
【０００５】従来の錠剤取出し器の構造例は、錠剤１個を取り出すような構造であり、複数個の錠剤をまとめて取り出すことはできなかった。包装された錠剤を１個づつ取り出すため、複数個の錠剤を取り出すには時間が多くかかり、作業効率が悪かった。特に市中の調剤薬局などでは、まとめて複数個の錠剤をヒートシールなどの個別包装された包装材から取り出すのに手で押し出す方法が通常とられている。そのため、取り出す錠剤の数が多くなると手を痛め、錠剤の取り出し作業が非常に苦痛となる場合が多い。
【課題を解決するための手段】
【０００６】そこで、本考案では、複数個の錠剤を容易に、安価に取出すことのできる器具を考案したものである。
【考案の効果】
【０００７】本考案の器具による錠剤の取出し作業は、薬剤師が楽にヒートシールから錠剤を複数個まとめて、一気に取出すことができる器具を提供するものである。【０００８】本考案による錠剤取出し器は、回転ローラの直線運動で複数個の錠剤を取出すことが可能であり、錠剤を包装材から取出す作業時間が大幅に短縮できる効果がある。
【図面の簡単な説明】
【０００９】
【図１】図１は、本考案よる実施方法を示した図である。（実施例１）
【図２】図２は、本考案よる実施方法の図１の断面図である。（実施例１）
【考案を実施するための形態】
【００１０】複数個の錠剤を一度に取出す機能を有する錠剤取出し器を実現するために、ヒートシールの固定具と回転ローラからなる錠剤をヒートシールから押し出す取出し器を安価に実現した。
【実施例１】
【００１１】図１において、１は複数個の錠剤が複数列に個別包装された錠剤、２は複数個の錠剤の包装材を固定する固定具、３は錠剤の片側を保持する保持部、４は固定具２に具備した包装材固定溝、５は複数個の錠剤を押し出す回転ローラ、６は上記回転ローラに備えられた錠剤押し出し用突起を示す。
図２は、図１の断面図を示し、図１と同一の番号を付けている。【００１２】使用方法は以下の通りである。
複数個の錠剤１が固定されている包装材の縁を固定具２の包装材固定溝４に挿入し、包装材を固定する。次に包装材の上から、回転ローラ５の錠剤押し出し用突起６を錠剤に押し付けながら、手で回転ローラ５の取っ手を握り、ローラを直線運動をすることにより回転ローラ５を回転させて、個別包装された錠剤を包装材裏面より押し出して取出すことができる。【００１３】本考案事例では、錠剤１が一列の場合を示したが、包装材の形状としては二列の場合が多く、その場合には一列を上記使用方法により錠剤を取出した後、包装材を反転させてもう一列を同様の方法にて、容易に取出すことができる。【００１４】また、回転ローラ５の錠剤押し出し用突起６を保持部３にあてることにより、回転ローラ５の直線方向の移動のガイドとなり、回転ローラ５の方向性を安定させる機能を有する。【００１５】さらに３列の場合には、包装材の両側の二列を上記方法により錠剤を取出したあとに一列分の錠剤１を取出した後の包装材を切り取る事により、容易に対応できることは言うまでもない。【００１６】本考案例では、固定具として、錠剤の幅に固定した溝を設けたが、簡易的な方法として一般的な錠剤の幅より広めの幅に溝を設定することにより、ほとんどの世の中の錠剤に一種類の固定具で対応することもできる。【００１７】さらに、回転ローラ５の錠剤押し出し用突起６のかわりに、回転ローラ５の角を錠剤に押し付けることにより錠剤を押し出すこともできる。その際に回転ローラ５の角を面取りすることにより錠剤を傷つけたり欠けたりすることなく取出すことができる。
【産業上の利用可能性】
【００１８】錠剤以外の同様の形状をした小物の包装形態のものの取出しにも利用できる。
【符号の説明】
【００１９】  １  複数個の錠剤が複数列に個別包装された錠剤
２  複数個の錠剤の包装材を固定する固定具
３  錠剤の片側を保持する保持具
４  固定具２に具備した包装材固定溝
５  複数個の錠剤を押し出す回転ローラ
６  上記回転ローラ５に備えられた錠剤押し出し用突起
【図１】
0003192939.tif 000003
【図２】
0003192939.tif 000004
(57)【要約】      （修正有）【課題】ガスコンロのグリル皿に水や粒状の鉱石を入れることによる手間と不便を解消し、焼き物の旨味と芳醇な焼きあがりを実現する煉瓦プレートを提供する。【解決手段】高温で加熱すると長い波長の遠赤外線が発生する煉瓦の特質を活用し、煉瓦を焼き網１上の焼き物から出る脂の汚れを洗い落としやすい板状２に形成し、表面にくぼみ３と両端に取手４をもうけてグリル皿５内に設置し、遠赤外線効果で具材に熱が芯までゆきわたるようにする。【選択図】図１
0003192944.tif 000002
【実用新案登録請求の範囲】
【請求項１】
粘土質泥を高温で焼成した煉瓦を、ガスコンロのグリル皿内に設置するよう板状に形状して、表面にくぼみと、両端に取手を備えたプレート。
【考案の詳細な説明】
【技術分野】
【０００１】  本考案は、グリル皿内に設置する煉瓦で造型されたプレートに関する。
【背景技術】
【０００２】  従来のグリル皿は水有りタイプと水無しタイプがあり、水有りタイプはグリル皿に水を入れて、焼き魚・肉の脂を受けて冷却し、過熱を防止した。
これではグリル皿の水が蒸発して調理物に吸収され、蒸し焼きに近い状態になる。これは、焼き物の旨味である表面はカリッと、中味はジューシーで芳醇な味が損なわれる。また、調理後の水が庫内や床にこぼれる不便もあった。
水無しタイプはグリル皿に水を入れる必要はないが、直火焼きで焼き加減が難しく、熱効率の点で問題があった。
【考案の開示】
【考案が解決しようとする課題】
【０００３】  しかし、これではグリル機能が十分に活かされていない。グリル機能を最大限に活かし、美味で、芳醇な味、具材が持つ旨味を引き出すには具材の芯まで火が通り、かつ表面が焼き過ぎないように調理することが大事である。
この課題をクリアするため、水の代わりに粒状の鉱石をグリル皿に入れることがあるが、調理後に焼き物の脂が沁みた鉱石を捨てなければならず、ごみが増え、かつ不便であった。
【課題を解決するための手段】
【０００４】  熱効率が良く、しかも芳醇な焼き物を提供するには、水または不経済な使い捨ての粒状の鉱石ではなく、煉瓦プレートをグリル皿内に設置し、煉瓦を加熱することで発する遠赤外線効果で焼き物の芳醇な味、具材の本来の旨味を引き出す。
【考案の効果】
【０００５】  煉瓦は高温を加えると、長い波長の遠赤外線が発生する。煉瓦を高温で加熱して発生する遠赤外線効果は、グリル内の高温で長い波長を発生させ、そのため短時間で具材全体に熱が伝わり、肉や野菜がソフトな焼きあがり、上品で芳醇な味が実現できる。グリル内の熱効率は高くなり、中火またはそれ以下の火力で焼きあがるため、燃費の節減効果もある。調理後はグリル皿の水がこぼれる不便、脂の沁みた鉱石を捨てる手間もない。
【考案を実施するための最良の形態】
【０００６】  本考案に係る煉瓦プレート２は、グリル皿５内に設置する大きさの一枚の薄い板状から成る。表面は焼き網１から焼き物の脂がグリル皿５に流れないようややくぼみ３があり、脂を洗い落としやすいように表面はなめらかになっている。煉瓦プレート２には設置しやすいように取手４がついている。
【図面の簡単な説明】
【０００７】
【図１】  本考案の煉瓦プレートに係る関連構成図である。
【図２】  本考案の煉瓦プレートの図である。
【符号の説明】
【０００８】    １    焼き網
２    煉瓦プレート
３    くぼみ
４    取手
５    グリル皿
【図１】
0003192944.tif 000003
【図２】
0003192944.tif 000004
(57)【要約】      （修正有）【課題】食器の底が穴にはまることで食器がずれなく食事をすることができる穴あきトレイを提供する。【解決手段】木製のトレイに食器に合わせた穴１を開け、食器を乗せることで食器が動かないようにできる。【選択図】図１
0003192946.tif 000002
【実用新案登録請求の範囲】
【請求項１】
食器の底のサイズに合わせて木製のトレイに穴を開け、食器を固定させることができることを特徴とする穴あきトレイ。
【考案の詳細な説明】
【技術分野】
【０００１】本考案は食器の底を円形の穴にはめることによって食器が固定されるトレイである。
【背景技術】
【０００２】今までは滑り止めをひき、食器がずれないようにするしかなかった。
【考案の概要】
【考案が解決しようとする課題】
【０００３】食器の底が穴にはまることで食器がずれなく食事をすることができる。
【課題を解決するための手段】
【０００４】本考案はトレイに乗せた食器が動かないように食器の底に合わせた穴を開け、そこに食器を乗せることで動かないように解決している。
【考案の効果】
【０００５】本考案は穴あきトレイによって食器が固定されることにより、安心して食事ができることにより精神的に満足していただける。
【図面の簡単な説明】
【０００６】
【図１】上から見た図
【考案を実施するための形態】
【０００７】穴あきトレイを上から見るとトレイに食器の底がはまる穴が開いている。
【実施例】
【０００８】本体は耐久性に優れ穴を開けやすい木材によるトレイで
▲１▼それぞれ食器のサイズに合わせて穴をあける。
【符号の説明】
【０００９】▲１▼食器の底のサイズの穴
【図１】
0003192946.tif 000003
(57)【要約】      （修正有）【課題】食べた後、袋を縛る紐が付いている、食パン包装袋を提供する。【解決手段】入口から３ｃｍ以上４ｃｍ以下までの部分を二重にし、包装袋の入口部分に、２ｃｍ巾、長さ５ｃｍの第１の切れ目と、前記第１の切れ目の反対側に、２ｃｍ巾、長さ１５ｃｍの第２の切れ目とを入れたことを特徴とする。【選択図】図１
0003192904.tif 000002
【実用新案登録請求の範囲】
【請求項１】
パンの袋の、入口に出ている所を、３ｃｍ〜４ｃｍ、縛る紐を作るために、二重にして、丈夫にする。
【請求項２】
入れ口の、２ｃｍ巾で、紐をつくる。
【請求項３】
入れ口、巾２４ｃｍの５ｃｍ、反対はし、１５ｃｍ、紐を作りやすい、ように、切れ目を入れておく。
【請求項４】
結んだ後、取り出す時に、解きやすい、ように、１５ｃｍの紐の先に、わかりやすいように、色を付ける。
【考案の詳細な説明】
【技術分野野】
【０００１】今までは、食パンのビニール袋を、開いて、食べた後、縛るためには、付いているクリップで、閉じていたが、ビニール袋で、紐を作り、それで縛る。
【背景技術】
【０００２】パンを入れる、ビニール袋の、入口を、縛る、紐を作るため、３ｃｍ〜４ｃｍ、二重に、丈夫にしておき、縛る紐を、巾２ｃｍ、入口２４ｃｍの、片はし、５ｃｍ、反対側１５ｃｍ、切れるように、切れ目をいれる、残り４ｃｍは袋の接続分として残しおく。
【考案が解決しようとする課題】
【０００３】食パンを、食べた後、クリップで袋を縛る時、置き、忘れ、入口を回しても、入りにくいし、手間がかかる。
【課題を解決するための手段】
【０００４】二重にした、袋の入口を、巾２ｃｍで、切れ目を入れ、紐を作り、それで縛る。
【考案の効果】
【０００５】食パンを、食べた後、袋を縛る、紐が、食パンの袋に、付いているので、縛るだけでよい。
【考案を実施するための最良の形態】
【０００６】ビニール袋に、付いている、紐で入口を、縛り、解く時は、長い紐の先の、目印を、引けば、開く。
【図面の簡単な説明】
【図１】パンの袋の、入口の、３ｃｍ〜４ｃｍ、紐を作るため、二重にして、丈夫にする、入口の２ｃｍ巾、２４ｃｍの内、５ｃｍ、反対はしから、１５ｃｍ、切れ目を入れて、紐を作りやすくする、残り、４ｃｍ、袋の接続に残しておく。
【図２】紐で縛り、解く時は、長い紐の目印を引く。
【図３】紐で縛り、解く時は、長い紐の目印を引く。
【符号の説明】１・・・二重にして、丈夫する所。
２・・・紐にする所。
３・・・切れ目を入れる所。
４・・・解く時の、目印。
【図１】
0003192904.tif 000003
【図２】
0003192904.tif 000004
【図３】
0003192904.tif 000005
【手続補正書】
【提出日】平成26年6月23日(2014.6.23)
【手続補正１】
【補正対象書類名】実用新案登録請求の範囲
【補正対象項目名】全文
【補正方法】変更
【補正の内容】
【実用新案登録請求の範囲】
【請求項１】
入口から３ｃｍ以上４ｃｍ以下までの部分を二重にしたことを特徴とする、
食パン包装袋。
【請求項２】
前期包装袋の入口部分から、２ｃｍ巾の紐を形成したことを特徴とする、
請求項１記載の食パン包装袋。
【請求項３】
前期包装袋の入口部分に、２ｃｍ巾、長さ５ｃｍの第１の切れ目と，前記第１の切れ目の反対側に、２ｃｍ巾、長さ１５ｃｍの第２の切れ目とを入れたことを特徴とする、
請求項１または２記載の食パン包装袋。
【請求項４】
前記第２の切れ目の先端に、色を付けことを特徴とする、
請求項３記載の食パン包装袋。
(57)【要約】      （修正有）【課題】サーフボード本体のデッキ表面に、サーフィン初心者の練習用ガイドをそれぞれ適切な位置にマーキングし、上達のスピードを上げる初心者用のサーフボードを提供する。【解決手段】サーフボード本体のデッキ表面に、パドリング時の視線の位置のガイド１、スタンドアップ時に手を着く位置のガイド２ａ及び２ｂ、スタンドアップ時の足の位置のガイド３ａ及び３ｂを表示させる。サーフボード本体のデッキ表面に塗料を塗布し、耐久性を確保するために剥離防止剤をさらに塗布し、マーキングを施す。また、利便性やデザインを重視する場合においては、フィルム加工のガイドマークを施し、使用者のニーズに合わせたガイドマークを提供する。【選択図】図１
0003192902.tif 000002
【実用新案登録請求の範囲】
【請求項１】
サーフィンの初心者のために、サーフボードシェイパーが、そのサーフィンの初心者のために、パドリング時の視線の適切な位置、スタンドアップ時の手を着く適切な位置、スタンドアップ時の足を置く適切な位置、それぞれのガイドとなるマークをサーフボード本体のデッキ表面に塗料を塗布しマーキングする方法。
【請求項２】
サーフィンの初心者のために、サーフボードシェイパーによって、そのサーフィンの初心者のために、パドリング時の視線の適切な位置、スタンドアップ時の手を着く適切な位置、スタンドアップ時の足を置く適切な位置、それぞれのガイドとなるマークをサーフボード本体のデッキ表面にシール、ステッカーなどのフィルム素材でマーキングする方法。
【請求項３】
サーフィンの初心者のために、サーフボードシェイパーによって、そのサーフィンの初心者のために、パドリング時の視線の適切な位置、スタンドアップ時の手を着く適切な位置、スタンドアップ時の足を置く適切な位置、それぞれのガイドとなるマークをサーフボード本体のデッキ表面に塗料が塗布されてマーキングされてあるサーフィンの初心者用のサーフボード。
【請求項４】
サーフィンの初心者のために、サーフボードシェイパーによって、そのサーフィンの初心者のために、パドリング時の視線の適切な位置、スタンドアップ時の手を着く適切な位置、スタンドアップ時の足を置く適切な位置、それぞれのガイドとなるマークをサーフボード本体のデッキ表面にシール、ステッカーなどのフィルム素材でマーキングされてあるサーフィンの初心者用のサーフボード。
【考案の詳細な説明】
【技術分野】
【０００１】本考案は、サーフボードの表面に、サーフィン初心者のためにパドリングやスタンドアップ時の視線、手、足の適切な位置を表示するために、サーフボードの表面に表示されるガイドマークに関するものである。
【考案の概要】
【考案が解決しようとする課題】
【０００２】従来のサーフボードには、ブランドのロゴマークなどのマーキングは施されているが、サーフィン初心者の練習用のガイドとなるようなマーキングは施されていない。【０００３】サーフボードを入手後、任意の位置にガイドマーキングを施しても、その位置が適切であるかどうかに疑問が残り、逆に上達を妨げる可能性があることも否定はできない。
【課題を解決するための手段】
【０００４】そこで、サーフボードを作っているシェイパーが、そのサーフボードに対し、最も適切な位置にガイドマーキングを施す。【０００５】そして、使用者のニーズに対応するため、耐久性を重視した塗装加工、利便性を重視したフィルム加工でガイドマーキングを施す。
【考案の効果】
【０００６】使用者は、ガイドマークにより、繰り返し同じ位置に、視線、手、足を置くことが可能になる。そして、適切な位置での反復動作により、ガイドマーク無しより上達のスピードが早くなることが期待できる。また、このガイドマークは上達に伴い、不必要になれば、特殊な薬品でサーフボード本体に影響を及ぼすことなく剥離が可能である。
【図面の簡単な説明】
【０００７】
【図１】塗装加工のマーキングを施したサーフボードの平面図である。
【図２】塗装加工のマーキングを施したサーフボードの断面図である。
【図３】フィルム加工のマーキングを施したサーフボードの平面図である。
【図４】フィルム加工のマーキングを施したサーフボードの断面図である。
【実施例】
【０００８】添付図面に基づき、本考案の詳細を説明する。図１の１はパドリング時の視線の位置を示し、２ａ及び２ｂはスダンドアップ時の手を着く位置を示し、３ａ及び３ｂはスタンドアップ時の足を置く位置を示している。図２の４はサーフボード表面に塗布される塗料を示し、５は４の塗料の剥離を防ぐ剥離防止剤を示す。図３の６はパドリング時の視線の位置を示し、７ａ及び７ｂはスダンドアップ時の手を着く位置を示し、８ａ及び８ｂはスタンドアップ時の足を置く位置を示している。破線は、それぞれのフィルムのアウトラインを示している。図４の９はフィルムのアウトラインを示し１０はマークを示している。
【図１】
0003192902.tif 000003
【図２】
0003192902.tif 000004
【図３】
0003192902.tif 000005
【図４】
0003192902.tif 000006
【手続補正書】
【提出日】平成26年5月28日(2014.5.28)
【手続補正１】
【補正対象書類名】実用新案登録請求の範囲
【補正対象項目名】全文
【補正方法】変更
【補正の内容】
【実用新案登録請求の範囲】
【請求項１】
サーフィンの初心者のために、サーフボードシェイパーによって、そのサーフィンの初心者のために、パドリング時の視線の適切な位置、スタンドアップ時の手を着く適切な位置、スタンドアップ時の足を置く適切な位置、それぞれのガイドとなるマークをサーフボード本体のデッキ表面に塗料が塗布されてマーキングされてあるサーフィンの初心者用のサーフボード。
【請求項２】
サーフィンの初心者のために、サーフボードシェイパーによって、そのサーフィンの初心者のために、パドリング時の視線の適切な位置、スタンドアップ時の手を着く適切な位置、スタンドアップ時の足を置く適切な位置、それぞれのガイドとなるマークをサーフボード本体のデッキ表面にシール、ステッカーなどのフィルム素材でマーキングされてあるサーフィンの初心者用のサーフボード。
(57)【要約】      （修正有）【課題】箱の正面下部にある入り口より両手を入れて箱の上面にある電球で照明すると鍼・灸以上の効果がある健康のはこを提供する。【解決手段】はこの上部に設置したＬＥＤ１の下部に斜めの台２を設けたことを特徴とし、また、台の上に手のひらを乗せ、指を少し手前に立て、立体的に受光することでＬＥＤの特別な波長により、ツボを刺激し、また数分後には血圧を下げることができることを特徴とする。【選択図】図１
0003192901.tif 000002
【実用新案登録請求の範囲】
【請求項１】
はこの上部に設置したＬＥＤの下部に斜めの台を設けた健康のはこ。
【請求項２】
台の上に手の平を乗せ、指を少し手前に立て、立体的に受光することでＬＥＤの特別な波長により、ツボを刺激して健康になる。また数分後には血圧を下げる事ができる
【考案の詳細な説明】
【技術分野】
【０００１】  この発明は箱の正面下部にある入り口より両手を入れて箱の上面にある電球で照明すると鍼・灸以上の効果がある健康のはこに関するものである
【背景技術】
【０００２】  従来、鍼と灸はツボを探して治療する。【０００３】  しかし、ツボを探すのが大変痛いのと熱いのが欠点であった。【０００４】  本発明は以上のよな欠点を無くすために発明されたものである。
【課題を解決するための手段】
【０００５】  はこの中に手を入れて、ＬＥＤの発光を左の手のひらと、右の手の甲に照射する。左手は台に乗せて指先を手前に少し曲げる。本発明は以上の構成より為る健康のはこである。
【考案の効果】
【００６】  ツボを探す必要がない、今まで発見されていないツボも治療することもある。１週間に１度ベッドで横になり数分間ほど照射すれば血圧も下がり健康になる。
【図面の簡単な説明】
【００７】
【図１】図１は本発明の立体図である。
【図２】図２は本発明の正面図である
【図３】図３は本発明の側面図である。
【符号の説明】
【００８】  １，ＬＥＤの電球
２，台
３，光を遮断するカーテン
【考案を実施するための形態】
【００９】  以下本発明の形態について説明する。
【００１０】  図１、入り口より左の手のひらを上に入れ、右手は甲を上にして受光する。左手の指先を少し手前に曲げてＬＥＤの発光を照射する。斜めにした台の上に乗せて立体的に数分間照射する。
【図１】
0003192901.tif 000003
【図２】
0003192901.tif 000004
【図３】
0003192901.tif 000005
【手続補正書】
【提出日】平成26年6月18日(2014.6.18)
【手続補正１】
【補正対象書類名】実用新案登録請求の範囲
【補正対象項目名】全文
【補正方法】変更
【補正の内容】
【実用新案登録請求の範囲】
【請求項１】
はこの上部に設置したＬＥＤの下部に斜めの台を設けた健康のはこ。
【請求項２】
台の上に手のひらを乗せ、指を少し手前に立て、立体的に受光することでＬＥＤの特別な波長により、ツボを刺激し、また数分後には血圧を下げることができることを特徴とする請求項１に記載の健康のはこ。
(57)【要約】      （修正有）【課題】芯の送り出し方法を便利にしたシャープペンシルを提供する。【解決手段】本体下部の側面に圧力バネ２を固定する圧力バネ固定部ｄを設け、圧力バネ固定部ｄに圧力バネ２を固定し、芯管３に芯管突起部ｅを設け、圧力バネ２が圧力バネ先端部ｃで芯管突起部ｅに圧力を加えることで、圧力バネ先端部ｃで芯管突起部ｅを押しつけて芯１を送り出すことを特徴とする。【選択図】図３
0003192907.tif 000002
【実用新案登録請求の範囲】
【請求項１】
（イ）本体下部ｈに圧力バネ２の圧力バネ固定部ｄを固定する。
（ロ）芯管３に芯管突起部ｅを設ける。
以上のように構成したシャープペンシル。
【考案の詳細な説明】
【考案の詳細な説明】
従来のシャープペンシルの芯１の送り出し方法は、芯管押し出しツマミ４を押し下げた状態で、なおも芯管押し出しツマミ４で芯管後尾部ｆを押しつけて行うものであるが、筆記を続行するとき、指の位置をたえず芯管押し出しツマミ４へ移動しなければならないのは大変不便なものである。そこで本案はこの欠点を改良するために考案されたものである。
以下図面をもって説明すれば、
（１）図１〜４のようにｈに２を設け、ｄを本体に固定している。
（２）図１〜４のようにｅを３に設けている。
（３）図２のように４を押し下げａからｂを出す。
（４）図３のように２に圧力をかけ、ｃでｅを押しつけて１を送り出す。
（５）３を図１の位置に戻すときは、ｃとｅに間隔を設けているので双方が接触すること      はない。
【図面の簡単な説明】
【図１】  本考案の透視側面図。
【図２】  本考案の芯管押し出しツマミ４を押し下げたときの透視側面図。
【図３】  本考案の圧力バネ２に圧力をかけたときの透視側面図。
【図４】  本考案の透視斜視図。
【符号の説明】  １  芯
２  圧力バネ
３  芯管
４  芯管押し出しツマミ
ａ  芯先端部出口
ｂ  芯先端部
ｃ  圧力バネ先端部
ｄ  圧力バネ固定部
ｅ  芯管突起部
ｆ  芯管後尾部
ｇ  本体上部
ｈ  本体下部
ｉ  圧力バネ孔
【図１】
0003192907.tif 000003
【図２】
0003192907.tif 000004
【図３】
0003192907.tif 000005
【図４】
0003192907.tif 000006
【手続補正書】
【提出日】平成26年6月27日(2014.6.27)
【手続補正１】
【補正対象書類名】実用新案登録請求の範囲
【補正対象項目名】全文
【補正方法】変更
【補正の内容】
【実用新案登録請求の範囲】
【請求項１】
本体下部の側面に圧力バネ（２）を固定する圧力バネ固定部（ｄ）を設け、圧力バネ固定部（ｄ）に圧力バネ（２）を固定し、芯管（３）に芯管突起部（ｅ）を設け、圧力バネ（２）が圧力バネ先端部（ｃ）で芯管突起部（ｅ）に圧力を加えることで、圧力バネ先端部（ｃ）で芯管突起部（ｅ）を押しつけて芯（１）を送り出すことを特徴とするシャープペンシル。
(57)【要約】      （修正有）【課題】携帯及び保管管理が容易で、かつ電源の操作及び無線接続の操作を簡単に行うことができる無線イヤホンを提供する。【解決手段】電子機器本体２は、無線イヤホン１との連結部位を備える。無線イヤホン１は、連結部位に連結させることで主電源が切られると共に蓄電を開始し、連結部位から取り外すことで主電源が入ると共に電子機器本体１と無線接続する。【選択図】図１
0003192908.tif 000002
【実用新案登録請求の範囲】
【請求項１】
電子機器本体と連結することで自動的に主電源を切ると共に蓄電を開始し、機器本体から取り外すことで自動的に主電源が入ると共に機器本体と無線接続される機能を持つ無線イヤホン。
【考案の詳細な説明】
【技術分野】
【０００１】本考案は、電子機器と無線接続して音声を伝達する無線イヤホンに関する。
【背景技術】
【０００２】現在、携帯電話機や携帯型音楽再生装置などの電子機器に対応した多様の形態の無線イヤホンが開発され、利用されている。
【考案の概要】
【考案が解決しようとする課題】
【０００３】従来の無線イヤホンは、電子機器とは別にイヤホンを充電しておく必要があるほか、電子機器を携帯する際に機器本体と別に無線イヤホンを携帯する必要があった。
さらに、無線イヤホンを使用して音声を視聴する際、電子機器とは別に無線イヤホンの電源を操作し、電子機器本体との無線接続操作を行う必要があった。
【課題を解決するための手段】
【０００４】本考案は以上の点を解決するために、電子機器本体と連結することで自動的に電源を切ると共に蓄電を開始し、機器本体から取り外すことで自動的に電源が入ると共に機器本体と無線接続される機能を持つ無線イヤホンを採用する。
【考案の効果】
【０００５】本考案の無線イヤホンは、電子機器と無線イヤホンを一個の物として携帯可能とするほか、機器本体との着脱が電源の操作と無線接続を兼ねるため、使用者に高い利便性を提供できる。
【図面の簡単な説明】
【０００６】
【図１】本考案の無線イヤホンの具体例斜視図である。
【考案を実施するための形態】
【０００７】電子機器本体に無線イヤホンとの連結部位を備え、そこに無線イヤホンを連結させることで機器本体と無線イヤホンが電気的に接続され、無線イヤホンの電源の操作、充電及び無線接続の操作を自動的に行う。
【実施例】
【０００８】従来の無線イヤホンが利用されている携帯型音楽再生装置やタブレット型パーソナルコンピュータに適用させる。
【産業上の利用可能性】
【０００９】コードを必要としない無線イヤホンを、電子機器と一対のものとして保管管理できるため、上記のように個人が使用する電子機器の他、無線機を使用する建設工事現場や警備業など、激しい身体的動作を行いながら指示の伝達が必要な業務においても適用の可能性がある。
【符号の説明】
【００１０】１  無線イヤホン
２  電子機器
【図１】
0003192908.tif 000003
【手続補正書】
【提出日】平成26年6月26日(2014.6.26)
【手続補正１】
【補正対象書類名】実用新案登録請求の範囲
【補正対象項目名】全文
【補正方法】変更
【補正の内容】
【実用新案登録請求の範囲】
【請求項１】
無線イヤホンとの連結部位を備える電子機器本体と、前記連結部位に連結させることで主電源が切られると共に蓄電を開始し、前記連結部位から取り外すことで主電源が入ると共に電子機器本体と無線接続する無線イヤホン。
(57)【要約】      （修正有）【課題】振動で荷崩れを起こしたり、脱いだ上着が落下するのを防止することができるキャリーバックを提供する。【解決手段】キャリーバッグ本体２の少なくとも上部に紐を掛けるフック３を設けるとともに、キャリーバッグの少なくとも底面に取手４を設けたものであって、キャリーバックの上部に荷物を積載した場合の落下防止用補助具であり、上部に設けたフックと下部に設けた取手を紐で引掛け固定することにより荷崩れの落下を防止することが可能になり、さらにキャリーバック本体を床面より持ち上げる場合の、重量分散用補助具である。キャリーバックのグリップ５と取手を握ることで、重量を分散しより安定した姿勢で抱えることが可能になった。【選択図】図１
0003192972.tif 000002
【実用新案登録請求の範囲】
【請求項１】
キャリーバッグ本体の少なくとも上部に紐を掛けるフックを設けるとともに、前記キャリーバッグの少なくとも底面に取手を設けたことを特徴とするキャリーバッグ。
【考案の詳細な説明】
【技術分野】
【０００１】
本考案は、キャスター付キャリーバック、キャスター付トロリーバック、キャスター付トラベルバック等キャリーバックに関するものである。
【背景技術】
【０００２】
キャリーバックに収納しきれない過荷物をキャリーバック上部に積載し移動したところ、振動で荷崩れを起こしたり、同様に脱いだ上着をキャリーバック上部に置き移動を行うと落下する現象が起きるという問題点があった。
【考案の概要】
【考案が解決しようとする課題】
【０００３】
本考案は上記問題点に鑑みてなされたものであり、振動で荷崩れを起こしたり、脱いだ上着が落下するのを防止することができるキャリーバックを提供することにある。
【課題を解決するための手段】
【０００４】
本考案は、キャリーバッグ本体の少なくとも上部に紐を掛けるフックを設けるとともに、前記キャリーバッグの少なくとも底面に取手を設けたことを特徴とする。
【考案の効果】
【０００５】
本考案は、キャリーバッグ本体の少なくとも上部に紐を掛けるフックを設けるとともに、前記キャリーバッグの少なくとも底面に取手を設けたことを特徴とするものであるから、キャリーバックに収納しきれない過荷物をキャリーバック上部に積載し移動しても、振動で荷崩れを起こしたり、同様に脱いだ上着をキャリーバック上部に置き移動を行っても落下しないという効果がある。
【図面の簡単な説明】
【０００６】
【図１】図１は、本考案のキャリーバックの一実施例の正面図。
【図２】図２は、同上のキャリーバックの一実施例の側面図。
【図３】図３は、同上のキャリーバックの一実施例の底面図。
【考案を実施するための形態】
【０００７】
本考案のキャリーバッグ１は、キャリーバッグ本体２の少なくとも上部に紐を掛けるフック３を設けるとともに、キャリーバッグ１の少なくとも底面に取手４を設けている。フック３は、コ字状のグリップ部５の両側にそれぞれ設けられており、合成樹脂で断面形状略Ｔ字状になっていて、先端には膨大部３ａが形成されており、フック３に掛けた紐などが外れないようになっている。取手４は、金属材又は合成樹脂でコ字状に形成されており、キャリーバッグ本体２を取手４を把持して持ち上げてもからキャリーバッグ本体２外れないようになっており、グリップ部５の反対位置に対面して設けられている。取手４は、キャスター６よりも引っ込んだ位置に設けられており、キャリーバッグ１を引き廻しても邪魔にならないようになっている。
【０００８】
キャリーバック本体２の上部に取り付けたフック３と底面に取付けた取手４を紐で引掛け固定すると、キャリーバック１に積載した荷物の崩れおよび落下を防止することが可能になった。
【０００９】
キャリーバック本２のグリップ部５と底面に取付けた取手４に手を掛け持ち上げると、重量を分散しより安定した姿勢で抱えることが可能になった。
【００１０】
フック３は、トラベルバック等の（以後キャリーバックという）上部に積載した荷物の落下防止用補助具であり、上部以外に背部に設けても構わないものであり、取手４はキャリーバック本体２を床面より持ち上げる際、キャリーバック１のグリップ部５と取手４を握ることで、重量を分散しより安定した姿勢で抱えることができる。底面以外に正面又は側面に設けても構わないものである。なおフック３の材質は、金属、プラスチック、樹液、ガラス、磁器、木材、紙、革、布、ベルト、ヤーンおよびこれらを含む複合材料で構成された物質である。また、取手４の材質は、金属、プラスチック、樹液、ガラス、磁器、木材、紙、革、布、ベルト、ヤーンおよびこれらを含む複合材料で構成された物質である。
【００１１】
キャリーバック本体を床面より持ち上げる際、キャリーバック本体のグリップと本考案の下部、取手を握ることで重量を分散しより安定した姿勢で抱えることが可能になった。
の上部に積載した荷物の落下防止用補助具であり、上部に設けたフックと下部に設けた取手を紐で縛ることで防止することが可能になった。
【符号の説明】
【００１２】
１  キャリーバック
２  キャリーバック本体
３  フック
４  取手
【図１】
0003192972.tif 000003
【図２】
0003192972.tif 000004
【図３】
0003192972.tif 000005
(57)【要約】      （修正有）【課題】太陽熱や排熱を利用する小型で簡素化した吸着式冷凍機を提供する。【解決手段】真空のケース内部に吸着部５と隣接した凝縮板１および凝縮水の一時保管部４を有し、ケース下部を蒸発器として利用する構造であり、吸着部と凝縮部を一体化し、ひとつのユニットで吸着と凝縮を行えるようにした。また、１００度以上の高温の太陽熱を使う事を前提に、凝縮工程の短縮を図り、最小構成では１個のユニットだけで冷却を行えるように、再生工程が高速に行える吸着剤を採用した。【選択図】図１
0003192954.tif 000002
【実用新案登録請求の範囲】
【請求項１】
真空のケース内部に吸着部と隣接した凝縮板および凝縮水の一時保管部を有し、ケース下部を蒸発器として利用する構造の吸着式冷凍機
【考案の詳細な説明】
【技術分野】
【０００１】
本考案の技術分野は太陽熱利用や廃熱利用を前提とした、吸着式冷凍機に関する技術分野に属する
【背景技術】
【０００２】
省エネの要求から太陽熱利用が進んでいるが、直接太陽熱を利用できる吸着式冷凍機に関する、小型化、効率化技術のさらなる改良が望まれている。特に時間がかかるのは吸着剤の再生過程であり、時間を早くするには新素材や、より高温な熱源が望まれる。
【考案の開示】
【考案が解決しようとする課題】
【０００３】
従来の一般的な吸着式冷凍機はどうしても大掛かりな設備になる傾向があった。一部のメーカーでは車に応用するための小型化研究も進められているが、まだまだ実用レベルには至っていない。原因のひとつは吸着サイクルと再生サイクルは原則的に同時に行う事ができず、最低２個の真空容器を切り替えて使う必要があることで、そのための切り替えシステムや、内部ダンパーなどが必要になり大型化する傾向があった。
【課題を解決するための手段】
【０００４】
本案では更なる小型化のために、吸着部と凝縮部を一体化し、ひとつのユニットで吸着と凝縮を行えるようにした。また、１００度以上の高温の太陽熱を使う事を前提に、凝縮工程の短縮を図り、最小構成では１個のユニットだけで冷却を行えるように考え、そのために再生工程が高速に行える吸着剤を採用した。また大型施設だけではなく、個人住宅や商店などの小規模施設にも導入できるようにするため、より一層の小型化を目指した。そのために出来るだけユニットの形を立方形に近づけ、真空容器の低コスト化を計った。
【考案の効果】
【０００５】
従来の吸着式冷凍機は、真空容器内部に隔壁や、流路切り替えなどの構造があるため、どうしても複雑化し、大きくなるとともに、コストも増大していた。本案の場合は構造がシンプルで、形も球に近い真空容器を使えるために簡単なプレス部品の組み合わせで真空容器を作成でき、真空容器の下部に蒸発器および冷却水容器を一体化することで、コストの引き下げが図れた。また、内部にはほとんど稼動部品がないためメンテナンスも簡単になった。初期費用を下げる事で、ランニングコストの安さに充分なメリットが出るようになった。また、再生が高温で可能なため、冷却液の温度が少し高めでもできることから、電力需要の大きなクーリングタワーの小型化も計れる様になり、地下水利用などと組み合わせると一層のランニングコスト低減も可能になる。
【産業上の利用可能性】
【０００６】
省エネルギー化は今後ますます必要とされ、とくに無限でコストも安い太陽熱利用はまずます拡大するので、その利用可能性は非常に大きい。単純な熱利用はもとより、太陽熱が豊富に得られる高緯度地方では、年中冷房の需要があるため、太陽熱を利用した冷房の市場は無限にあるといえる。
【図面の簡単な説明】
【０００７】
【図１】簡素化した構造の吸着式冷凍機の吸着・凝縮部の構成図である。
【符号の説明】
【０００８】
１    凝縮板
２    吸着板用オイル配管
３    凝縮板用オイル配管
４    温度アクチュエータ付き凝縮水受け皿
５    吸着板および熱伝導板（サンドイッチ構造）
【図１】
0003192954.tif 000003
(57)【要約】      （修正有）【課題】小型軽量で簡素な構造の組み立て式太陽熱集熱設備を提供する。【解決手段】集熱のための鏡面６を、アルミ押し出し材にＳＵＳ鏡面材を取り付けた細長い形状にしてユニット化し、それを何枚か組み立てるようにした。１枚ごとの集熱板自体に強度があるため、両側から側板２で固定するだけで充分な強度と集熱能力を得られる。【選択図】図１
0003192955.tif 000002
【実用新案登録請求の範囲】
【請求項１】
アルミ押し出し材とＳＵＳ鏡面等の素材で作った細長い鏡面板を複数組み立てて構成する事を特徴とする太陽熱集熱設備
【考案の詳細な説明】
【技術分野】
【０００１】
本考案は、太陽熱利用のための集熱設備に関するものである。
【背景技術】
【０００２】
省エネの要求から太陽熱利用が進んでいるが、一般の集光パネルについては真空ガラス管式の集熱器など高機能なものが生産されている。またより高温での利用向け機器も研究開発されている。
【考案の開示】
【考案が解決しようとする課題】
【０００３】
従来の一般的な太陽熱集熱パネルは、平面式の集熱パネルで60度から80度程度のお湯を作ることができる。また真空のガラス管式は冬季でも90度程度のお湯を作る事ができる。しかし、単位面積あたりの太陽熱量は決まっているので、高い温度を実現するにはレンズ状のパネルを使って集熱する必要がある。一般にはパラボラ式の鏡面パネルを使って中心に集光し、スターリングエンジンなどで発電するようなシステムが実用化されている。しかしながら単一のパネルは強風などへの対応などから、設備が大掛かりになることで設備価格の高額化などからあまり普及が進んでいない。最近では太陽熱利用の多様化から、より高温の集熱システムが求められていることに対応した、安価な集熱システムがユーザーから望まれている。
【課題を解決するための手段】
【０００４】
本案では集熱のための鏡面を、アルミ押し出し材等を使ってユニット化し、それを何枚か組み立てるようにした。一般の鏡と違って１枚ごとの集熱板自体に強度があるため、両側から側板で固定するだけで充分な強度と集熱能力を得られる。鏡面そのものはSUSの薄板を鏡面加工したものを、アルミ押し出し材の溝にはめるだけなので簡単に実現でき、組み立てや交換も簡単にできる。また風の影響を避けるため、各鏡板の設置は隙間ができるような設計になっており、側板にも風抜きの穴を設けている。両側の側板から簡単にねじ止めで組み立てができる。また集熱部オイル循環部も簡単に脱着できる。
【考案の効果】
【０００５】
従来の小型システムの場合には、単一の集熱パネルは輸送や組み立てるときの制限から、採算性の良いシステムの構築が難しかった。また、生産にも大掛かりな施設が必要なことや、型代などの初期投資が嵩むことが問題になっていた。しかし、本装置を使用すると、1枚の平面ではないので、風などの影響が減る事と、現地組み立て式で輸送コストを下げられる事から、中国製などコストの安い材料を効率的に利用する事ができるようになる。パネルを１０枚程度組み立てる２ｍ角のタイプでも、簡単な板金部品のみで完成し、必要な強度を持たせても重量を抑える事ができる。もちろん、集熱パネルは角度の変えられる架台に載せ、回転できる台座に設置するので、他の製品同様の太陽光追従制御を行うことができるので、一般的な平面固定設置の集熱パネルより、かなり高い効率で集熱できる。また軽量なため、架台の駆動電力も少なく済み、ＤＣ１２Ｖで駆動できることから、制御、移動を含めたシステムを、太陽電池を使って構築する事も可能になった。
【産業上の利用可能性】
【０００６】
省エネルギー化は今後ますます必要とされ、とくに無限でコストも安い太陽熱利用はまずます拡大するので、その利用可能性は非常に大きい。特に従来の太陽熱集熱器の温度を補う用途にも利用できるし、単体で高温を利用した熱電素子発電や吸着式冷凍機などへも応用できる。
【図面の簡単な説明】
【０００７】
【図１】組み立て式太陽熱集光設備の構成図である。
【符号の説明】
【０００８】
１    オイルなどの液が循環する集熱部
２    架台用側板
３    傾斜用ヒンジパイプ
４    傾斜駆動用電動シリンダー
５    １８０度回転用台座
６ アルミ押し出し材にＳＵＳ鏡面材を取り付けた集熱板
【図１】
0003192955.tif 000003
(57)【要約】      （修正有）【課題】建設機械のバックホー及びブルドーザー等の排土板に簡単にフォークを取り付けが出来、それらの重機をフォークリフトとして利用出来るようにした排土用はめ込み式フォークを提供する。【解決手段】重機の排土板６前方下部に、縦方向に二枚のフォーク板１をセットし、それぞれのフォーク板１の排土板側両側面に縦プレート２を排土板に沿って立ち上げフォーク板１と固定し、縦プレート２の上端内側に持ち手用のパイプを設置し、縦プレート２の上方内側から排土板６の高さで横プレート４を重機方向に伸ばし縦プレート２に固定する、排土板６の背面に沿って、横プレート４の下部に下方向に伸ばした押さえプレート５を設置した構造の、排土板用はめ込み式フォーク。【選択図】図４
0003192930.tif 000002
【実用新案登録請求の範囲】
【請求項１】
重機の排土板６前方下部に  縦方向に二枚のフォーク板１をセットし  それぞれのフォーク板１の排土板側両側面に縦プレート２を排土板に沿って立ち上げフォーク板１と固定し、縦プレート２の上端内側に持ち手用のパイプ３を設置し、縦プレート２の上方内側から排土板６の高さで横プレート４を重機方向に伸ばし縦プレート２に固定する、排土板６の背面に沿って  横プレート４の下部に下方向に伸ばした押さえプレート５を設置した構造の  排土板用はめ込み式フォーク。
【考案の詳細な説明】
【考案の詳細な説明】
【技術分野】
【０００１】本発明は、建設機械のバッホクー及びブルドーザー等の排土板に簡単にフォークを取り付けが出来  それらの重機をフォークリフトとして利用出来るようにした考案である。【０００２】従来、バックホー及びブルドーザー等の排土板は土砂を押し均しすることのみに使用され、物を運ぶ手段として利用されていなかった、また一般のフォークリフトは硬い舗装面しか走れなかった、また、それらの重機をちょっとだけフォークリフトとして利用したくても  そういう器具がなかった。
【考案が解決しようする課題】
【０００３】本考案は、今まで利用されていなかった、重機の排土板を物が運べるフォークリフトとして、簡単に利用したくても  今までそういう器具はなかった、軽量で手軽そして丈夫な着脱式のフォークを提供しようとするものである。
【課題を解決するための手段】
【０００４】この課題を解決するための構造は重機の排土板６前方下部に  縦方向に二枚のフォーク板１をセットし  それぞれのフォーク板１の排土板側両側面に縦プレート２を排土板に沿って立ち上げフォーク板１と固定し、縦プレート２の上端内側に持ち手用のパイプ３を設置し、縦プレート２の上方内側から排土板６の高さで横プレート４を重機方向に伸ばし縦プレート２に固定する、排土板６の背面に沿って  横プレート４の下部に下方向に伸ばした押さえプレート５を設置した構造の  排土板用はめ込み式フォーク。
【０００５】  本案を利用するときは  両手で本案を持ち  縦プレート２と押さえプレート５の間に排土板６を挟み込むようにおろして装着する、パレットのサイズに応じて本案を左右に移動し幅を合わせる、そしてパレット等にフォークを差込み、荷物等を運搬する。
【０００６】  本案を利用することにより従来のフォークリフトが使えないような場所でも、フォークリフトがない場合でもパレットや荷物が動かせ、片付け作業や工事が効率的に行えるようになる。
【図面の簡単な説明】
【０００７】
【図１】  本考案の平面図
【図２】  本考案の側面図
【図３】  本考案の正面図
【図４】  本考案装着時の斜視図
【符号の説明】
【０００８】１    フォーク板                  ２    縦プレート
３    持ち手用パイプ              ４    横プレート
５    押さえプレート              ６    排土板
【図１】
0003192930.tif 000003
【図２】
0003192930.tif 000004
【図３】
0003192930.tif 000005
【図４】
0003192930.tif 000006